(57)【要約】【課題】植物の挿し穂の発根を促進することにより、効率的に挿し木苗を製造する方法を提供する。【解決手段】本発明は、以下のステップ：（ａ）オーキシンを供給せずに、挿し穂を培地に挿し付けるステップ、及び（ｂ）ステップ（ａ）から少なくとも１週間後に培地にオーキシンを添加することにより、挿し穂の発根を促進するステップを含む、植物の挿し木苗製造方法に関する。【選択図】なし【特許請求の範囲】
【請求項１】
植物の挿し木苗製造方法であって、以下のステップ：
（ａ）オーキシンを供給せずに、挿し穂を培地に挿し付けるステップ、及び
（ｂ）ステップ（ａ）から少なくとも１週間後に培地にオーキシンを添加することにより、挿し穂の発根を促進するステップ
を含む、上記方法。
【請求項２】
ステップ（ｂ）を、ステップ（ａ）の後、１〜６週間の間に行なう、請求項１に記載の方法。
【請求項３】
ステップ（ｂ）を、ステップ（ａ）の後、３〜５週間の間に、１〜３回行なう、請求項１または２に記載の方法。
【請求項４】
ステップ（ｂ）を、潅水時にオーキシン水溶液を添加することにより行なう、請求項１〜３のいずれか１項に記載の方法。
【請求項５】
前記植物が木本性植物である、請求項１〜４のいずれか１項に記載の方法。
【請求項６】
前記木本性植物がユーカリ属又はアカシア属植物である、請求項５に記載の方法。
【請求項７】
前記オーキシンが、インドール酪酸、インドール酢酸、４−クロロインドール−３−酢酸、ナフチル酢酸、及びα−ナフチルアセトアミドから選択される、請求項１〜６のいずれか１項に記載の方法。
【請求項８】
前記オーキシンがインドール酪酸である、請求項７に記載の方法。
【発明の詳細な説明】
【技術分野】
【０００１】
本発明は、植物の挿し木苗製造方法に関する。本発明は、特に、ユーカリ属植物等の挿し木苗製造が困難な植物種の挿し木苗製造方法に関する。
【背景技術】
【０００２】
植物は、木質の茎（木幹）を有する木本性植物と、地上部が柔軟で木質をなさない草本性植物とに大別される。これらを総称する植物の商業用苗木としては、一般に、種子から芽を出して生長する実生苗、挿し木、接ぎ木、及び組織培養によるクローン苗などが知られている。特に、挿し木は、最も簡便かつ安価なクローン苗の生産技術であり、例えば、南米、欧州、東南アジア、南アフリカ等では、大規模な植林を行なう目的で、ユーカリ属植物やアカシア属植物の挿し木苗が大量に生産されている。
【０００３】
ユーカリ属植物に汎用される挿し木の従来技術については、「Ｅｕｃａｌｙｐｔ  Ｄｏｍｅｓｔｉｃａｔｉｏｎ  ａｎｄ  Ｂｒｅｅｄｉｎｇ」（Ｋ．Ｇ．Ｅｌｄｒｉｄｇｅ，Ｊ．Ｄａｖｉｄｓｏｎ，Ｃ．Ｈａｒｗｏｏｄ，Ｇ．ｖ．Ｗｙｋ編、Ｏｘｆｏｒｄ  Ｕｎｉｖｅｒｓｉｔｙ  Ｐｒｅｓｓ  Ｉｎｃ．、１９９３年）の２３７〜２４６ページに詳細に記載されている。
【０００４】
特許文献１には、インドール酪酸（ＩＢＡ）などのオーキシンを用いるユーカリ属植物の挿し木苗製造方法が記載されている。該文献では、挿し付け直前にＩＢＡの水溶液に挿し穂を浸漬するか、又はタルク粉末希釈したＩＢＡを切り口付近に塗布することにより、挿し穂にオーキシン処理を行ない、その後、挿し穂を育成して挿し木とする。
【０００５】
特許文献２には、ユーカリ、アカシア、ヤマモモ等の植物の挿し木作出方法が記載されている。該文献には、窒素、リン、カリウムを必須元素として含み、且つ、炭素源を含まない液体培地で湿潤させた発根床を培養容器内に用意し、これに挿し穂を挿し付けて、
培養容器内の炭酸ガス濃度を制御しつつ、挿し穂からの発根を行なわせることを特徴とする挿し木の作出方法が記載され、このとき、液体培地に、インドール酢酸、インドール酪酸等のオーキシンなどの植物生長調節物質を添加してもよいことが記載されている。
【０００６】
しかし、前述したような確立されている挿し木苗製造方法を用いたとしても、挿し木苗を生産する地域の気候条件等によっては挿し穂の発根が困難な場合がある。また、挿し穂が発根する能力は用いる植物種によって異なり、さらに、一般に挿し穂の発根能力が高い植物種であっても、採穂母樹の生理的要因により挿し穂の発根が困難になる場合がある。採穂母樹からの萌芽枝など、若返りを図った挿し穂を挿し木する場合も、発根が困難な場合が存在する。
【０００７】
このように、植物の商業用挿し木苗を製造しようとするときに、挿し穂の発根は生産現場の気象的要因、挿し穂の遺伝的又は生理的要因などに大きく依存するために、従来の挿し木苗製造方法では、安定して挿し穂を発根させるのが難しい場合が依然として存在する。
【先行技術文献】
【特許文献】
【０００８】
【特許文献１】特開平６−９８６３０号公報
【特許文献２】特開２００１−１８６８１４号公報
【非特許文献】
【０００９】
【非特許文献１】「Ｅｕｃａｌｙｐｔ  Ｄｏｍｅｓｔｉｃａｔｉｏｎ  ａｎｄ  Ｂｒｅｅｄｉｎｇ」Ｋ．Ｇ．Ｅｌｄｒｉｄｇｅ，Ｊ．Ｄａｖｉｄｓｏｎ，Ｃ．Ｈａｒｗｏｏｄ，Ｇ．ｖ．Ｗｙｋ編、Ｏｘｆｏｒｄ  Ｕｎｉｖｅｒｓｉｔｙ  Ｐｒｅｓｓ  Ｉｎｃ．、１９９３年
【発明の概要】
【発明が解決しようとする課題】
【００１０】
大量植林にも応用可能であり、難発根性の木本性植物でも発根を促進することが可能な挿し木苗製造方法が必要とされている。特に、ユーカリ属及びアカシア属植物等の従来挿し木苗製造が困難とされている植物の挿し木苗を効率的に製造する方法が所望されている。
【課題を解決するための手段】
【００１１】
本発明は、挿し穂の挿し付け時には植物生長調節物質を供給せず、挿し付け後に植物生長調節物質を添加することを特徴とする、植物の挿し木苗製造方法に関する。
【００１２】
より具体的には、本発明は以下の特徴を有する。
〔１〕植物の挿し木苗製造方法であって、以下のステップ：
（ａ）オーキシンを供給せずに、挿し穂を培地に挿し付けるステップ、及び
（ｂ）ステップ（ａ）から少なくとも１週間後に培地にオーキシンを添加することにより、挿し穂の発根を促進するステップ
を含む、上記方法。
〔２〕ステップ（ｂ）を、ステップ（ａ）の後、１〜６週間の間に行なう、上記〔１〕に記載の方法。
〔３〕ステップ（ｂ）を、ステップ（ａ）の後、３〜５週間の間に、１〜３回行なう、上記〔１〕または〔２〕に記載の方法。
〔４〕ステップ（ｂ）を、潅水時にオーキシン水溶液を添加することにより行なう、上記〔１〕〜〔３〕のいずれか１つに記載の方法。
〔５〕前記植物が木本性植物である、上記〔１〕〜〔４〕のいずれか１つに記載の方法。
〔６〕前記木本性植物がユーカリ属又はアカシア属植物である、上記〔５〕に記載の方法。
〔７〕前記オーキシンが、インドール酪酸、インドール酢酸、４−クロロインドール−３−酢酸、ナフチル酢酸、及びα−ナフチルアセトアミドから選択される、上記〔１〕〜〔６〕のいずれか１つに記載の方法。
〔８〕前記オーキシンがインドール酪酸である、上記〔７〕に記載の方法。
【発明の効果】
【００１３】
本発明によれば、植物の挿し穂の発根を促進することができ、大規模な植林のための挿し木苗製造にも適用することができる。
【発明を実施するための形態】
【００１４】
本発明は、以下のステップ：
（ａ）オーキシンを供給せずに、挿し穂を培地に挿し付けるステップ、及び
（ｂ）ステップ（ａ）から少なくとも１週間後に培地にオーキシンを添加することにより、挿し穂の発根を促進するステップ
を含む、植物の挿し木苗製造方法に関する。
【００１５】
挿し穂としては、緑枝（当年枝）及び熟枝（前年以前に伸びた枝）の他、芽及び葉も用いることができる。通常、木本性植物の場合には緑枝又は熟枝、草本性植物の場合には芽又は葉を用いる。
【００１６】
一般的な挿し木苗の製造方法を、ユーカリ属植物の挿し木苗製造方法を例に挙げて説明する。詳細については、「Ｅｕｃａｌｙｐｔ  Ｄｏｍｅｓｔｉｃａｔｉｏｎ  ａｎｄ  Ｂｒｅｅｄｉｎｇ」（上掲）、２３７〜２４６ページを参照されたい。
【００１７】
まず、採穂母樹の枝から１〜４節、２〜８枚の葉を含む穂木を切り出し、葉の一部を切除して挿し穂を調製する。この挿し穂を、ベンレートなどの殺菌剤溶液に浸漬してから、基部に発根促進剤として機能するインドール酪酸等のオーキシン（植物ホルモン）粉剤を塗布するか、又はオーキシン溶液に挿し穂の基部を浸した後、挿し木培地に開設した挿し付け穴に挿し付ける。挿し木培地としては、適度な透水性及び保水性を有する材料であれば特に制限されず、バーク、砂、木屑、ピートモス、バーミキュライト、パーライト、くん炭、ココピート、パミス、ゼオライト、軽石、これらの混合物等が例示される。挿し木培地は、一般に育苗ポット、プラグトレー等の容器に充填した形で用いる。挿し木培地の通気性と保湿性とのバランスは、発根の成否を左右する。挿し穂の腐敗を避けるために、挿し木培地には有機物を含めない方が好ましく、殺菌処理した培地を用いるのがさらに好ましい。施肥は通常行なわないが、緩効性の粒状肥料を培地に混入するか、液肥として潅水時に与えてもよい。
【００１８】
本発明では、上記の一般的な挿し木苗製造方法のうち、挿し付け時の挿し穂に対するオーキシン処理を行なわず、挿し木を挿し付けてから少なくとも１週間後、好ましくは１〜６週間の間、より好ましくは３〜５週間の間に、挿し木培地にオーキシンを添加する。下記の実施例で具体的に示すように、本発明の方法は、従来の挿し付け時のオーキシン処理と比較して、顕著に挿し穂の発根を促進することができることが明らかになった。
【００１９】
本発明に用いる植物の種類は、特に限定されないが、木本性植物であるユーカリ属、アカシア属、ヤマモモ科、コナラ属（クヌギ等）、ブドウ科、リンゴ属、サクラ属、バラ属、ツバキ属等の植物、及び草本性植物であるキク属、ナデシコ属（カーネーション等）が好ましい。木本性植物がより好ましく、ユーカリ属及びアカシア属植物が最も好ましい。
【００２０】
ユーカリ属植物としては、製紙原料用樹種（パルプ材）として、ユーカリ・カマルドレンシス（Ｅｕｃａｌｙｐｔｕｓ  ｃａｍａｌｄｕｌｅｎｓｉｓ）、ユーカリ・グランディス（Ｅ．ｇｒａｎｄｉｓ）、ユーカリ・グロブラス（Ｅ．ｇｌｏｂｕｌｕｓ）、ユーカリ・ナイテンス（Ｅ．ｎｉｔｅｎｓ）、ユーカリ・テルティコルニス（Ｅ．ｔｅｒｅｔｉｃｏｒｎｉｓ）、ユーカリ・ユーロフィラ（Ｅ．ｕｒｏｐｈｙｌｌａ）等、及びこれらを片親とする交雑種やこれらの亜種・変種、並びに、造園・緑化・観賞用樹種として、ユーカリ・グンニィ（Ｅ．ｇｕｎｉｉ）、ユーカリ・ビミナリス（Ｅ．ｖｉｍｉｎａｌｉｓ）等が挙げられる。
【００２１】
ユーカリ属植物のさらなる詳細については、「Ｅｎｖｉｒｏｎｍｅｎｔａｌ  Ｍａｎｎａｇｅｍｅｎｔ：Ｔｈｅ  Ｒｏｌｅ  ｏｆ  Ｅｕｃａｌｙｐｔｕｓ  ａｎｄＯｔｈｅｒ  Ｆａｓｔ  Ｇｒｏｗｉｎｇ  Ｓｐｅｃｉｅｓ」（Ｋ．Ｇ．Ｅｌｄｒｉｄｇｅ，Ｍ．Ｐ．Ｃｒｏｗｅ  ａｎｄ  Ｋ．Ｍ．Ｏｌｄ編，ＣＳＩＲＯ  Ｐｕｂｌｉｓｈｉｎｇ，１９９５）、及び「緑化樹としてのユウカリ類」（石川健康著、造林緑化技術研究所、１９８０年発行）を参照されたい。
【００２２】
アカシア属植物としては、製紙原料用樹種として、アカシア・アウリカリフォルミス（Ａｃａｃｉａ  ａｕｒｉｃｕｌｉｆｏｒｍｉｓ）、アカシア・マンギウム（Ａ．ｍａｎｇｉｕｍ）、アカシア・メアランシー（Ａ．ｍｅａｒｎｓｉｉ）、アカシア・クラシカルパ（Ａ．ｃｒａｓｓｉｃａｒｐａ）、アカシア・アウラコカルパ（Ａ．ａｕｌａｃｏｃａｒｐａ）等及びこれらを片親とする交雑種やこれらの亜種・変種、並びに、造園・緑化・鑑賞用樹種として、ハナアカシア（Ａ．ｂａｉｌｅｙａｎａ）、フサアカシア（Ａ．ｄｅａｌｂａｔａ）等が挙げられる。
【００２３】
挿し穂を採取する母樹の形態としては、ポット苗、露地植栽苗のいずれでもよく、自然樹形のもの、剪定して萌芽枝を育成したもの、実生苗、挿し木又は接ぎ木或いは組織培養などの方法で親木から作製したクローン苗であり得る。採穂母樹の樹齢は特に問わないが、若い方が挿し穂の発根能力が高いので好ましい。
【００２４】
本発明では、オーキシン処理を、挿し穂の挿し付けから少なくとも１週間後、好ましくは１〜６週間の間、より好ましくは３〜５週間後に、少なくとも１回以上、好ましくは１〜３回行なう。
【００２５】
本発明では、オーキシン処理を、挿し木後に基部の原基（カルス様）が形成された時期に行なうことにより、発根を促すことができると考えられる。原基形成の時期は、挿し穂の樹種又は生育状態に依存して変わり得る。したがって、本発明の方法を実施するに当たって、原基形成の時期に影響を与えるそのような特性について試験を行なうのが望ましい。一般的には、原基は挿し木後３週間までに形成されると考えられる。
【００２６】
オーキシン処理は、潅水時の水溶液の添加、粉剤の株元散布等、いずれの方法により行ってもよいが、水溶液を潅水時に添加するのが好ましい。
【００２７】
本発明のオーキシンは、例えば、インドール酪酸、インドール酢酸、４−クロロインドール−３−酢酸、ナフチル酢酸、又はα−ナフチルアセトアミドである。好ましくは、オーキシンはインドール酪酸（ＩＢＡ）である。
【００２８】
挿し穂の処理に用いるオーキシンの量は、１μＭ以上、例えば１μＭ〜２ｍＭ（例えば、０．５ｍｇ／Ｌ〜４００ｍｇ／Ｌ）の水溶液を１回につき挿し穂あたり５〜３０ｍＬ、好ましくは１０〜２０ｍＬ添加する量である。
【００２９】
オーキシンがインドール酪酸である場合、オーキシン処理に用いる量は、例えば、市販のインドール酪酸液剤（バイエル  クロップサイエンス（株）のオキシベロン液剤、０．４０％（ｗ／ｗ））を、例えば、１倍〜２０００倍又はそれ以上、好ましくは５０倍〜１５００倍、より好ましくは１００倍〜１０００倍に水で希釈したインドール酪酸溶液を、１回につき挿し穂（挿し木培地容積にして５０〜８０ｍＬ）あたり５〜３０ｍＬ、好ましくは１０〜２０ｍＬ添加する。
【００３０】
オーキシン処理を行なった後、例えば挿し付け後４週間以上、好ましくは５〜１２週間まで又はそれ以上、より好ましくは６〜１０週間まで、挿し木を育成する。
【００３１】
挿し木の育成環境は、湿度が調節可能な温室が好ましい。適切な湿度、潅水の頻度は、用いる植物種、育成温度に依存するが、通常、湿度は５０〜１００％程度に調節するのが好ましく、潅水は１日１回〜週１回程度行なう。
【００３２】
挿し木培地としては、上記のとおり、バーク、砂、木屑、ピートモス、バーミキュライト、パーライト、くん炭、ココピート、パミス、ゼオライト、軽石、これらの混合物等が好適である。挿し木培地は、殺菌処理したものを用いるのが好ましい。
【００３３】
本発明の方法によれば、｛（挿し付け後一定期間に発根した挿し穂数）／（挿し穂の供試数）｝×１００に依拠する発根率に関して、挿し穂にオーキシンを添加しない場合の発根率と比較して、顕著に高い発根率を得ることができる。例えば、本発明の方法によれば、挿し穂にオーキシンを添加しない場合の発根率と比較して、６倍、７倍、８倍、９倍、１０倍、１１倍又は１２倍の発根率を達成することができる。
【実施例】
【００３４】
以下に実施例を用いて本発明をさらに詳細に説明するが、本発明はこれらの実施例により何ら限定されるものではない。
【００３５】
挿し木の調製
［実施例１］
挿し木による増殖で得たユーカリ・グロブラス（Ｅｕｃａｌｙｐｕｔｕｓ  ｇｌｏｂｕｌｕｓ）のクローン苗を温室内で生長させ、これを採穂母樹とした。約４０ｃｍに伸長生長して硬くなった萌芽枝を切り出し、下葉を除去して穂先に対となる２枚の葉のみを残し、長さ約１０ｃｍの挿し穂を調製した。挿し穂の２枚の葉の先端側約半分を切除し、挿し穂の基部をナイフで切り返した。
【００３６】
次に、調製した挿し穂を２時間水上げした。さらに挿し穂全体を殺菌剤溶液（トップジンＭゾル、日本曹達株式会社、１，０００倍液）に約５秒間浸漬した後、挿し穂を、予めプラグトレーに詰めて湿潤状態にしたココピートとパーライトの混合物（４：６）からなる培地（挿し穂あたりの培地容量約５０ｍＬ）に挿し付けた。これを湿度７０％以上に調節可能な温室で挿し木養成した。１〜２週目には、殺菌剤を潅水処理した（トップジンＭゾル、日本曹達株式会社、１，０００倍液、施用量５０ｍＬ／本）。
【００３７】
挿し木３週目（挿し付け２１日後）に、挿し木培地に、市販のオキシベロン液剤（バイエル  クロップサイエンス（株）、０．４０％（ｗ／ｗ）インドール酪酸溶液）を水で２００倍に希釈した溶液を、挿し穂１本あたり約１５ｍＬ添加した。その後さらに５週間育成し（計５６日間）、目視で発根を確認した。
【００３８】
［実施例２］
３週目にオキシベロン液剤の１０００倍液、約１５ｍＬで処理し、４週目にオキシベロン液剤の２００倍液、約１５ｍＬで処理し、５週目にオキシベロン液剤の１０００倍液、約１５ｍＬで処理した他は、実施例１と同様に、挿し木を８週間（５６日間）育成した。
【００３９】
［比較例１］
オキシベロン処理を行なわなかった他は、実施例１と同様に、挿し木を８週間（５６日間）育成した。
【００４０】
［比較例２］
挿し付け時に挿し木培地にオキシベロン液剤の２００倍液を挿し穂１本あたり約１５ｍＬ添加し、３週目のオキシベロン処理を行なわなかった他は、実施例１と同様に、挿し木を８週間（５６日間）育成した。
【００４１】
結果
表１に、実施例１、２及び比較例１、２について、５６日間育成したユーカリ・グロブラスの挿し穂の発根率（％）を示す。発根率（％）は、｛（挿し付け５６日後までに発根した挿し穂数）／（挿し穂の供試数）｝×１００に依拠した。供試数は、２４本×反復２とした。
【００４２】
【表１】
2011250733.tif 000002
【００４３】
表１の結果から、挿し木製造において、挿し付け後にインドール酪酸処理すると、インドール酪酸処理をしない場合（比較例１）、及び従来のように挿し付け時にインドール酪酸処理した場合（比較例２）と比べて、顕著に挿し穂の発根が促進されることが示された。特に、インドール酪酸処理をしない場合と比較すると、本発明の方法による発根率は１０倍以上であり、また、８０％を超える発根率を達成することができた。これは、難発根性のユーカリ属植物としては驚くべき値である。
【００４４】
同様の結果が、ユーカリ・カマルドレンシス（Ｅｕｃａｌｙｐｔｕｓ  ｃａｍａｌｕｄｕｌｅｎｓｉｓ）、アカシア・アウリカリフォルミス（Ａｃａｃｉａ  ａｕｒｉｃｕｌｉｆｏｒｍｉｓ）、ユーカリ・グランディス（Ｅｕｃａｌｙｐｔｕｓ  ｇｒａｎｄｉｓ）などの広範囲な植物の挿し穂を用いた場合でも示された。
【産業上の利用可能性】
【００４５】
本発明の挿し木苗製造方法によれば、従来の方法に比べ植物の挿し穂の発根を促進することが可能となり、大規模に植林されるユーカリ属植物及びアカシア属植物の挿し木苗を効率的に生産することができる。したがって、本発明は、製紙産業、エネルギー産業等において利用可能性を有する。